(57)【要約】【課題】拭取シートを巻き取る巻取ロールの着脱が容易なスクリーン清掃装置を提供する。【解決手段】装置本体１１０が回転可能に支持する支持ロール１４０，１４２はそれぞれ、両端に３本ずつの円環溝１５８，１８２を備え、それらの中にピニオン１５０，１７０，支持ローラを備える。３個ずつのピニオン１５０，１７０，支持ローラについてそれぞれ、固定位置決めローラ２１２ａ，可動位置決めローラ２１２ｂを設ける。供給ロール５２，巻取ロール５４は両端にギヤ５８，９０を備え、ギヤ５８，９０を３本ずつの円環溝１５８，１８２のうち拭取シート５０の幅に応じた１本に嵌合し、ピニオン１５０，１７０に噛み合わせ、支持ローラ上に載置し、位置決めローラ２１２ａ，２１２ｂがギヤ５８，９０に接触し、位置決めする。ギヤ５８，９０をピニオン１５０，１７０，支持ローラ上に載せ、離間させるのみで簡単に供給ロール５２，巻取ロール５４を着脱できる。【選択図】      図４
2006321106.tif 000002
【特許請求の範囲】
【請求項１】
スクリーン印刷機のスクリーンの汚れを拭取シートにより拭き取って清掃するスクリーン清掃装置であって、
装置本体と、
その装置本体に、回転軸線まわりに回転可能に保持され、前記拭取シートを巻き取る巻取ロールの軸方向に隔たった２部分に設けられた一対の被支持回転体に、自身の外周面において接触して支持する少なくとも２個の支持回転体と、
前記装置本体に保持され、前記被支持回転体の各々をそれぞれ対応する前記支持回転体に支持された状態に位置決めするとともに、その位置決め状態で、前記巻取ロールにその巻取ロールの軸線と直交する一方向の力が加えられた場合に、その巻取ロールの前記装置本体からの離脱を許容する位置決め装置と、
前記装置本体に保持され、前記拭取シートを供給する拭取シート供給装置と、
前記装置本体に保持された回転駆動装置と
を含み、かつ、前記少なくとも２個の支持回転体のうち、前記巻取ロールの軸方向に隔たった２部分に設けられた前記一対の被支持回転体の少なくとも一方に対応するものが、その少なくとも一方に回転トルクを伝達する駆動回転体であり、その駆動回転体が前記回転駆動装置により回転させられることを特徴とするスクリーン清掃装置。
【請求項２】
前記支持回転体が２個であり、かつ、前記位置決め装置が、
前記被支持回転体の各々の外周面に１対ずつ接触する合計２対の位置決めローラと、
各対の位置決めローラの一方を前記装置本体に固定的に取り付けて固定位置決めローラとする固定取付装置と、
各対の位置決めローラの他方を、前記装置本体に、前記被支持回転体のほぼ半径方向に移動可能に取り付けて可動位置決めローラとする可動取付装置と、
前記可動位置決めローラを前記被支持回転体に向かって付勢する付勢装置と
を含み、前記支持回転体，前記固定位置決めローラおよび前記可動位置決めローラのうち、前記被支持回転体の周方向において互いに隣接する２個ずつの間の角度間隔のいずれの２つの和も全て１８０度より大きいことを特徴とする請求項１に記載のスクリーン清掃装置。
【請求項３】
前記支持回転体の外周面に円環溝が形成され、その円環溝に前記被支持回転体が嵌合されることにより、被支持回転体の軸方向の位置決めが行われることを特徴とする請求項１または２に記載のスクリーン清掃装置。
【請求項４】
前記２個の支持回転体が、１本の支持ロールの軸方向に隔たった２部分により構成され、前記円環溝がその支持ロールの軸方向の１点に対して対称な複数対の位置にそれぞれ形成され、それら複数対から選ばれた一対の円環溝に前記一対の被支持回転体が嵌合されることを特徴とする請求項３に記載のスクリーン清掃装置。
【請求項５】
前記駆動回転体とその駆動回転体に対応する前記被支持回転体とが、それぞれ外周面に歯が形成された歯車であることを特徴とする請求項１ないし４のいずれかに記載のスクリーン清掃装置。
【請求項６】
前記拭取シート供給装置が、
前記拭取シートが巻かれた供給ロールの軸方向に隔たった２部分に設けられた一対の被支持回転体に、それぞれ自身の外周面において接触して支持する少なくとも２個の支持回転体と、
前記装置本体に保持され、前記被支持回転体の各々をそれぞれ対応する前記支持回転体に支持された状態に位置決めするとともに、その位置決め状態で、前記供給ロールにその供給ロールの軸線と直交する一方向の力が加えられた場合に、その供給ロールの前記装置本体からの離脱を許容する位置決め装置と、
を含み、かつ、当該スクリーン清掃装置が前記装置本体に保持された制動装置を含み、前記供給ロールの軸方向に隔たった２部分に設けられた前記一対の被支持回転体の少なくとも一方に対応する支持回転体が、その少なくとも一方に前記制動装置の制動トルクを伝達する制動トルク伝達体であることを特徴とする請求項１ないし５のいずれかに記載のスクリーン清掃装置。
【発明の詳細な説明】
【技術分野】
【０００１】
本発明は、スクリーン印刷機のスクリーンを帯状の拭取シートにより清掃する装置に関するものであり、特に、拭取シートを巻き取る巻取ロールのスクリーン清掃装置に対する着脱に関するものである。
【背景技術】
【０００２】
この種のスクリーン清掃装置は、下記の特許文献１に記載されているように既に知られている。特許文献１に記載の巻取ロールは、装置本体に設けられた固定支持部材および可動支持部材によってスクリーン清掃装置に取り付けられる。固定支持部材は、装置本体に回転可能かつ軸方向に移動不能に設けられ、可動支持部材は装置本体により、固定支持部材と同心の軸線まわりに回転可能かつ軸方向に移動可能に設けられている。可動支持部材は、装置本体に軸方向に移動可能に設けられたシャフトと、シャフトの先端部に相対回転可能に設けられた受け部材とを含み、装置本体との間に配設されたスプリングにより、固定支持部材に接近する向きに付勢されている。巻取ロールを装置本体に取り付ける際には、可動支持部材をスプリングの付勢力に抗して後退させ、固定支持部材との間に巻取ロールを挿入可能なスペースを生じさせる。その状態で巻取ロールの一端部を固定支持部材に相対回転不能に嵌合した後、可動支持部材をスプリングの付勢により前進させ、受け部材を巻取ロールの他端部に係合させる。巻取ロールを装置本体から取り外す際には、可動支持部材をスプリングの付勢力に抗して後退させ、受け部材を巻取ロールから離脱させた状態で巻取ロールを固定支持部材から外すとともに、装置本体から抜け出させる。
【特許文献１】特開２００１−２８７３４５公報
【発明の開示】
【発明が解決しようとする課題】
【０００３】
しかしながら、特許文献１に記載のスクリーン清掃装置においては、巻取ロールをスクリーン清掃装置に取付け，取外す際に可動支持部材をスプリングの付勢力に抗して後退させるとともに、その状態を保って巻取ロールの固定支持部材に対する嵌合，離脱作業を行わなければならず、面倒である。また、可動支持部材を操作する際、作業者の手が入り難く、作業性が悪い場合もある。
本発明は、以上の事情を背景として為されたものであり、拭取シートを巻き取る巻取ロールの着脱が容易なスクリーン清掃装置の提供を課題とする。
【課題を解決するための手段】
【０００４】
本発明は、上記の課題を解決するために、スクリーン印刷機のスクリーンの汚れを拭取シートにより拭き取って清掃するスクリーン清掃装置を、(a)装置本体と、(b)その装置本体に、回転軸線まわりに回転可能に保持され、拭取シートを巻き取る巻取ロールの軸方向に隔たった２部分に設けられた一対の被支持回転体に、自身の外周面において接触して支持する少なくとも２個の支持回転体と、(c)前記装置本体に保持され、前記被支持回転体の各々をそれぞれ対応する前記支持回転体に支持された状態に位置決めするとともに、その位置決め状態で、前記巻取ロールにその巻取ロールの軸線と直交する一方向の力が加えられた場合に、その巻取ロールの前記装置本体からの離脱を許容する位置決め装置と、(d)装置本体に保持され、拭取シートを供給する拭取シート供給装置と、(e)装置本体に保持された回転駆動装置とを含むものとし、かつ、少なくとも２個の支持回転体のうち、巻取ロールの軸方向に隔たった２部分に設けられた一対の被支持回転体の少なくとも一方に対応するものを、その少なくとも一方に回転トルクを伝達する駆動回転体とし、その駆動回転体を回転駆動装置により回転させることを要旨とするものである。
【０００５】
駆動回転体に支持される被支持回転体は被駆動回転体であることになる。
支持回転体は、被支持回転体の各々に対して２個ずつ設けられ、それら２個が共同して１個ずつの被支持回転体を支持するようにすることも可能であり、その場合には、それら２個ずつの支持回転体に位置決め装置を兼ねさせることも可能である。しかし、後述するように、各被支持回転体を１個ずつの支持回転体に支持させ、位置決め装置を別個設ける方が装置コストを低減し得る場合が多い。
巻取ロールの軸方向に隔たった２部分は、巻取ロールの両端部でもよく、少なくとも一方が端より内側の部分であってもよい。前者の場合、例えば、巻取ロールを拭取シートの幅と同じ長さのものとすることができ、無駄が少ない。また、拭取シートを巻取ロールの軸方向において位置決めする少なくとも１個の位置決め部材を巻取ロールに軸方向に移動可能に設けてもよい。後者の場合、２個の被支持回転体を巻取ロールの、拭取シートの幅と同じ距離を隔てた２位置にそれぞれ設け、幅が異なる複数種類の拭取シートの巻取りに、長さが同じである共通の巻取ロールを使用することができる。この場合、２個の被支持回転体の少なくとも一方を巻取ロールの軸方向に相対移動可能に設け、拭取シートの幅に応じた位置に位置させてもよい。
拭取シート供給装置は、拭取シートが巻かれた供給ロールが巻取ロールと同様に支持されるものとしてもよく、あるいは内部に拭取シートが折り畳まれて収容されたシート収容部材が着脱可能に取り付けられ、拭取シートがシート収容部材から引き出される装置でもよい。
駆動回転体は、歯車とされてもよく、少なくとも外周面が高摩擦係数層とされた円形断面の回転体とされてもよい。
１対の被支持回転体の各々に対応する支持回転体を両方とも駆動回転体とすれば、巻取ロールにその軸方向に隔たった２部分において回転トルクを伝達することができ、巻取ロールの回転がより安定するが、不可欠ではない。
【発明の効果】
【０００６】
本発明に係るスクリーン清掃装置において巻取ロールを装置本体に取り付ける際には、巻取ロールの１対の被支持回転体をそれぞれ、支持回転体に支持させ、支持を解く際には支持回転体から離間させればよい。位置決め装置は、被支持回転体を対応する支持回転体に支持された状態に位置決めするが、その位置決め状態で、巻取ロールにその巻取ロールの軸線と直交する一方向の力が加えられた場合には、その巻取ロールの前記装置本体からの離脱を許容する。すなわち、前記従来の装置におけるように、被支持回転体を支持回転体に支持させ、離間させる際に、可動支持部材をスプリングの付勢力に抗して後退させなくてよく、面倒がない。また、可動支持部材の操作の際、作業者の手が入り難くて作業が困難であることもなく、容易にかつ迅速に巻取ロールを装置本体に取り付け、取り外すことができる。
【発明の態様】
【０００７】
以下に、本願において特許請求が可能と認識されている発明（以下、「請求可能発明」という場合がある。請求可能発明は、少なくとも、請求の範囲に記載された発明である「本発明」ないし「本願発明」を含むが、本願発明の下位概念発明や、本願発明の上位概念あるいは別概念の発明を含むこともある。）の態様をいくつか例示し、それらについて説明する。各態様は請求項と同様に、項に区分し、各項に番号を付し、必要に応じて他の項の番号を引用する形式で記載する。これは、あくまでも請求可能発明の理解を容易にするためであり、請求可能発明を構成する構成要素の組み合わせを、以下の各項に記載されたものに限定する趣旨ではない。つまり、請求可能発明は、各項に付随する記載，実施例の記載等を参酌して解釈されるべきであり、その解釈に従う限りにおいて、各項の態様にさらに他の構成要素を付加した態様も、また、各項の態様から構成要素を削除した態様も、請求可能発明の一態様となり得るのである。
【０００８】
なお、以下の各項において、(1)項が請求項１に相当し、(2)項が請求項２に、(4)項が請求項３に、(5)項ないし(8)項を合わせたものが請求項４に、(9)項が請求項５に、(10)項と(11)項とを合わせたものが請求項６にそれぞれ相当する。
【０００９】
（１）スクリーン印刷機のスクリーンの汚れを拭取シートにより拭き取って清掃するスクリーン清掃装置であって、
装置本体と、
その装置本体に、回転軸線まわりに回転可能に保持され、前記拭取シートを巻き取る巻取ロールの軸方向に隔たった２部分に設けられた一対の被支持回転体に、自身の外周面において接触して支持する少なくとも２個の支持回転体と、
前記装置本体に保持され、前記被支持回転体の各々をそれぞれ対応する前記支持回転体に支持された状態に位置決めするとともに、その位置決め状態で、前記巻取ロールにその巻取ロールの軸線と直交する一方向の力が加えられた場合に、その巻取ロールの前記装置本体からの離脱を許容する位置決め装置と、
前記装置本体に保持され、前記拭取シートを供給する拭取シート供給装置と、
前記装置本体に保持された回転駆動装置と
を含み、かつ、前記少なくとも２個の支持回転体のうち、前記巻取ロールの軸方向に隔たった2部分に設けられた前記一対の被支持回転体の少なくとも一方に対応するものが、その少なくとも一方に回転トルクを伝達する駆動回転体であり、その駆動回転体が前記回転駆動装置により回転させられるスクリーン清掃装置。
（２）前記支持回転体が２個であり、かつ、前記位置決め装置が、
前記被支持回転体の各々の外周面に１対ずつ接触する合計２対の位置決めローラと、
各対の位置決めローラの一方を前記装置本体に固定的に取り付けて固定位置決めローラとする固定取付装置と、
各対の位置決めローラの他方を、前記装置本体に、前記被支持回転体のほぼ半径方向に移動可能に取り付けて可動位置決めローラとする可動取付装置と、
前記可動位置決めローラを前記被支持回転体に向かって付勢する付勢装置と
を含み、前記支持回転体，前記固定位置決めローラおよび前記可動位置決めローラのうち、前記被支持回転体の周方向において互いに隣接する２個ずつの間の角度間隔のいずれの２つの和も全て１８０度より大きい(1)項に記載のスクリーン清掃装置。
被支持回転体は支持回転体に支持させられるとき楔の機能を果たし、可動位置決めローラを付勢装置の付勢力に抗して被支持回転体から離間させ、固定位置決めローラとの間に進入可能な隙間を生じさせつつ支持回転体に支持された状態となり、その状態では、付勢装置の付勢力により、支持回転体，固定位置決めローラおよび可動位置決めローラに挟まれて回転軸線と直交する方向において位置決めされた状態に保たれる。また、これら支持回転体等は、被支持回転体の周方向において互いに隣接する２個ずつの間の角度間隔のいずれの２つの和も全て１８０度より大きくされているため、被支持回転体に付勢装置の付勢力を超える力が作用しない限り、被支持回転体の支持回転体からの離間が防止され、被支持回転体が支持回転体に支持された状態に保たれる。本位置決め装置は離間防止装置としても機能するのである。巻取ロールをスクリーン清掃装置から取り外す際には、巻取ロールに支持回転体から離間する向きの力を加えれば、取付け時と同様に、被支持回転体が楔作用によって可動位置決めローラを付勢装置の付勢力に抗して後退させつつ、可動位置決めローラと固定位置決めローラとの間から抜け出す。本項の位置決め装置を備えたスクリーン清掃装置においても、被支持回転体を支持回転体に接近させ、離間させる操作のみにより、容易に巻取ロールを装置本体に取り付け、取り外すことができる。
なお、可動取付装置と付勢装置とを兼用とすることも可能である。例えば、板ばねに可動位置決めローラを回転可能に保持させ、板ばねを付勢装置兼ローラ保持部材とするのである。
（３）前記巻取ロールが両端部に軸部を備え、前記支持回転体が２個であり、かつ、前記位置決め装置が、それぞれ前記装置本体に設けられ、前記軸部の各々を、前記被支持回転体のほぼ半径方向に移動可能に受容する案内溝を含む(1)項に記載のスクリーン清掃装置。
被支持回転体は巻取ロールの自重により支持回転体に支持された状態に保たれるようにすることも可能である。この場合、巻取ロールは、その自重に打ち勝つ力が、巻取ロールの軸線と直交する一方向であって、案内溝の長手方向に加えられれば、装置本体から離脱させられる。しかし、位置決め装置を、被支持回転体の支持回転体からの浮き上がりを防止する浮上がり防止装置を含むものとすることが望ましい。案内溝が上下方向の成分を有し、巻取ロールの自重が支持回転体に被支持回転体を支持させた状態に保たせるのであれば、浮上がり防止装置は不可欠ではないのであるが、設けることが望ましく、支持回転体が駆動回転体であり、被支持回転体が被駆動回転体である場合には、特に望ましい。
軸部が案内溝に嵌合され、案内されることにより、被支持回転体の支持回転体上への接近が案内されるとともに、軸部と溝側面との係合により、被支持回転体が支持回転体に支持された状態に位置決めされる。
（４）前記支持回転体の外周面に円環溝が形成され、その円環溝に前記被支持回転体が嵌合されることにより、被支持回転体の軸方向の位置決めが行われる(2)項または(3)項に記載のスクリーン清掃装置。
円環溝に被支持回転体が嵌合されることにより、巻取ロールが軸方向に移動することがなくなり、安定して拭取シートを巻き取ることができる。支持回転体とは別に、被支持回転体を軸方向において位置決めする位置決め装置を設けることも可能であるが、構成が複雑になる。それに対し、本項の発明によれば、被支持回転体を円環溝に嵌合することにより位置決めすることができ、容易にかつ迅速に被支持回転体を支持回転体に支持させることができるとともに、軸方向の位置決めもすることができる。
（５）前記２個の支持回転体が、１本の支持ロールの軸方向に隔たった２部分により構成された(2)項または(3)項に記載のスクリーン清掃装置。
軸方向に隔たった２部分は、軸方向の両端でもよく、少なくとも一方が端より内側の部分でもよい。
本項の支持ロールは、一体の部材としてもよく、複数の部材が一体的に組み付けられて成るものとしてもよい。後者の場合、例えば、支持ロールを、その軸部を構成する軸部材と、２個の支持回転体とを含むものとするとともに、支持回転体を軸部材に対して軸方向の位置を多段階あるいは無段階に調節可能とすれば、２個の被支持回転体間の距離の違いに対応させることができる。２個の被支持回転体が拭取シートを幅方向において位置決めする位置決め部材としても機能する場合、拭取シートの幅に応じて２個の被支持回転体間の距離が異ならされるが、それら距離の違いに１本の支持ロールにより対応し、幅が異なる複数種類の拭取シートをスクリーン清掃装置にセットすることができる。
２個の支持回転体を別体とし、それぞれ別々に装置本体に取り付けてもよい。しかし、この場合には、２個の支持回転体を個別に装置本体に取り付けることが必要であり、構成が複雑になる。それに対し、本項のスクリーン清掃装置においては、１本の支持ロールを装置本体に取り付ければ、２個の支持回転体を装置本体に取り付けたことになり、取付装置の構成を単純化できる。また、回転駆動装置の駆動力を支持ロールあるいは２個の支持回転体の一方に伝達することにより２個の支持回転体を回転させることができ、回転駆動装置の構成も簡易にすることができる。
（６）前記支持ロールの前記軸方向に隔たった２部分の外周面に円環溝が形成され、それら円環溝に前記被支持回転体が嵌合されることにより、被支持回転体の、支持ロールの軸方向における位置決めが行われる(5)項に記載のスクリーン清掃装置。
本項に記載のスクリーン清掃装置においては、例えば、(4)項に記載の作用および効果が得られる。
（７）前記円環溝が３本以上形成されており、それら円環溝から選択された２本に前記一対の被支持回転体が嵌合される(6)項に記載のスクリーン清掃装置。
例えば、支持ロールの軸方向に隔たった２部分の一方に円環溝が１本形成され、他方に２本以上形成され、一方の１本と、他方の複数の円環溝のうちの１本とにそれぞれ、被支持回転体が嵌合されてもよく、次項に記載のスクリーン清掃装置におけるように、支持ロールの軸方向の１点に対して対称な複数対の位置にそれぞれ円環溝が形成されてもよい。
支持ロールの軸方向に隔たって対を成す２本の円環溝であって、それらの間の距離が異なる円環溝対が複数対得られ、互いの間隔が異なる複数対の被支持回転体を嵌合することができ、幅が異なる複数種類の拭取シートをスクリーンの清掃に使用することが容易となる。
巻取ロールをスクリーン清掃装置に取り付ける場合、１対の被支持回転体間の距離に対応する距離を隔てて対を成す２本の円環溝を選んで被支持回転体を嵌合すればよく、巻取ロールの着脱が容易であるという(1)項に係る発明の利点が損なわれることがない。また、支持回転体の支持ロールの軸方向における位置を調節可能とする場合のような位置調節作業が不要であり、拭取シートの幅の違いに容易に対応することができる。スクリーンの、印刷に使用される印刷使用領域の幅は、回路基板の印刷剤が印刷されるべき領域である被印刷領域の幅によって変わり、印刷使用領域の幅に応じた幅を有する拭取シートを清掃に使用すれば、拭取シートの無駄を抑えて清掃を行うことができる。
なお、支持回転体を軸方向において長いものとし、円環溝は設けず、そのうちの任意の個所において被支持回転体を支持させ、幅が異なる複数種類の拭取シートをセット可能とすることもできる。この場合、支持回転体は複数の支持回転体が一体に設けられたものであると考えることができる。
（８）前記円環溝が前記支持ロールの軸方向の１点に対して対称な複数対の位置にそれぞれ形成され、それら複数対から選ばれた一対の円環溝に前記一対の被支持回転体が嵌合される(7)項に記載のスクリーン清掃装置。
支持ロールの軸方向の１点は、例えば、支持ロールの軸方向の中央とされ、その場合、巻取ロールは、その長さに関係なく、支持ロールの中央部において支持され、スクリーン清掃装置を左右対称に構成することができる。
（９）前記駆動回転体とその駆動回転体に対応する前記被支持回転体とが、それぞれ外周面に歯が形成された歯車である(1)項ないし(8)項のいずれかに記載のスクリーン清掃装置。
駆動回転体を歯車のみからなるものとし、歯車自体に被支持回転体を支持させる態様であり、構成が単純で済む利点がある。しかし、それに限定されるわけではない。例えば、駆動回転体を、外周面が円筒面である支持部と、その支持部と同心かつ一体的な歯車部とを備えたものとするとともに、その駆動回転体に支持される被支持回転体も、被支持部と歯車部とを備えたものとし、被支持部が支持部により支持された状態で歯車同士が噛み合うようにすることも可能である。
本項の発明によれば、歯車同士の噛み合いにより、駆動回転体から被支持回転体に確実に回転トルクが伝達される。
本項が(2)項に従属する態様では、位置決め装置によって被支持回転体の支持回転体からの離間が防止されることにより、歯車同士が噛み合った状態に保たれ、より確実に回転トルクが伝達される。
（１０）前記拭取シート供給装置が、
前記拭取シートが巻かれた供給ロールの軸方向に隔たった２部分に設けられた一対の被支持回転体に、それぞれ自身の外周面において接触して支持する少なくとも２個の支持回転体と、
前記装置本体に保持され、前記被支持回転体の各々をそれぞれ対応する前記支持回転体に支持された状態に位置決めするとともに、その位置決め状態で、前記供給ロールにその供給ロールの軸線と直交する一方向の力が加えられた場合に、その供給ロールの前記装置本体からの離脱を許容する位置決め装置と
を含む(1)項ないし(9)項のいずれかに記載のスクリーン清掃装置。
供給ロール用の支持回転体と位置決め装置との少なくとも一方を巻取ロール用のそれらと同じ構成とすることが可能である。特に、供給ロール用の支持回転体と位置決め装置との少なくとも一方の部品を共通化すれば、装置コストの低減を図り得る。また、(2)項または(3)項に記載の特徴を本項の位置決め装置にも適用することができる。さらに、拭取シートを供給し終えた供給ロールを巻取ロールとして使用したり、巻取ロールに巻き取られた拭取シートを外して供給ロールとして使用したりすることも可能である。
本項に記載のスクリーン清掃装置においては、拭取シートが巻き付けられた供給ロールを巻取ロールと同様に容易にかつ迅速に装置本体に取り付け、位置決めすることができる。
前記特許文献１に記載のスクリーン清掃装置においては、拭取シートが供給ロールに巻かれ、供給ロールは巻取ロールと同様にして装置本体に取り付けられる。そのため、巻取ロール、供給ロール共に着脱作業が面倒であり、拭取シートの交換作業にかかる時間がより長くなる。それに対し、本項の発明によれば、拭取シートは供給ロールに巻かれて供給されるが、巻取ロールと同様に簡単に装置本体に取り付け、取り外すことができ、供給，巻取共にロールが使用されても迅速に着脱することができる。
(2)項ないし(9)項の各々に記載の特徴を本項の支持回転体にも適用することができる。
（１１）前記装置本体に保持された制動装置を含み、前記供給ロールの軸方向に隔たった２部分に設けられた前記一対の被支持回転体の少なくとも一方に対応する支持回転体が、その少なくとも一方に前記制動装置の制動トルクを伝達する制動トルク伝達体である(10)項に記載のスクリーン清掃装置。
巻取ロールが回転させられれば、拭取シートが巻取ロールにより引っ張られ、供給ロールが回転させられて拭取シートが供給ロールから引き出される。この際、被支持回転体に支持回転体から制動トルクが伝達されることにより、供給ロールに拭取シートが引き出される方向とは逆向きの力が作用し、拭取シートに張力が付与される。また、巻取ロールが停止させられた際、供給ロールが慣性によって回転し続け、拭取シートにたるみが生じることが防止される。
（１２）横断面形状が円形の筒状を成すとともに、スクリーン印刷機のスクリーンの汚れを拭き取る帯状の拭取シートの幅とほぼ同じ長さを有し、拭取シートが巻き付けられるロールと、
そのロールの両端に設けられた１対の歯車と
を含む拭取シート巻付体。
１対の歯車は、ロールと一体に設けられてもよく、別体に設けられ、着脱可能にあるいは着脱不能に取り付けられてもよい。後者の場合、ロールは拭取シートの幅と同じ長さを有するものとすることが望ましいが、不可欠ではない。拭取シートの幅よりやや短いものとすることも、やや長いものとすることも可能なのである。ロールが拭取シートの幅よりやや短いものである場合には、例えば、１対の歯車をそれぞれ、中央部から突出した嵌合突部を備えたものとし、それら嵌合突部をロールの両端部の内側に嵌合し、各歯車の端面が拭取シートの幅方向の位置を規定するフランジの機能を果たすようにすればよい。ロールが拭取シートの幅よりやや長いものである場合には、１対の歯車をそれぞれ、中央部に嵌合凹部を備えたものとし、それら嵌合凹部をにロールの両端部の外側に嵌合し、歯車の端面が拭取シートの幅方向の位置を規定するフランジの機能を果たすようにすればよい。
ロールに未使用の拭取シートが巻き付けられている場合、ロールは供給ロールを構成し、ロールが空の状態でスクリーン清掃装置に取り付けられ、使用済みの拭取シートが巻き付けられる場合、ロールは巻取ロールを構成する。
本拭取シート巻付体は、(9)項に記載の巻取ロールと同様にスクリーン清掃装置に容易にかつ迅速に取り付けられる。
（１３）前記１対の歯車が前記ロールとは別体に設けられ、それら歯車をロールに着脱可能に取り付ける歯車取付装置を含む(12)項に記載の拭取シート巻付体。
本項の発明によれば、例えば、ロールが繰り返し使用可能なものであるが、寿命等により使用不能となった場合、ロールのみを交換すればよく、交換コストが少なくて済む。あるいはロールが使い捨てのものである場合、使用の済んだロールから歯車を外し、未使用のロールに取り付けて使用することができ、拭取シート巻付体のコストを低減させることができる。
【実施例】
【００１０】
以下、請求可能発明のいくつかの実施例を、図を参照しつつ詳しく説明する。なお、請求可能発明は、下記実施例の他、上記〔発明の態様〕の項に記載された態様を始めとして、当業者の知識に基づいて種々の変更を施した態様で実施することができる。
【００１１】
本スクリーン印刷機は、図１に示すように、印刷機本体を構成するフレーム１０，基板搬送装置（図示省略），基板支持装置１２，基板支持装置昇降装置１４，スクリーン支持装置１６，スキージ装置１８，スクリーン清掃装置２０等を備えている。基板搬送装置は、回路基板２４を図１においては左右方向であって、回路基板２４の半田印刷面に平行な方向である水平方向に搬送し、基板支持装置１２に搬入し、基板支持装置１２から搬出する。基板支持装置１２は、回路基板２４を水平に支持し、接触，離間装置としての基板支持装置昇降装置１４により昇降させられ、スクリーン支持装置１６に支持されたスクリーン３０に直角な方向に移動させられて、基板支持装置１２に支持された回路基板２４がスクリーン３０に接触，離間させられる。
【００１２】
スクリーン支持装置１６は、図１に示すように、フレーム１０の、基板支持装置１２の上方の位置に設けられている。スクリーン３０は矩形のスクリーン枠３２に保持され、そのスクリーン枠３２においてスクリーン支持装置１６により水平に支持されている。スクリーン３０には、図示は省略するが、被印刷剤としての高粘性流体の一種であるクリーム半田が充填される多数の貫通穴が設けられている。
【００１３】
スキージ装置１８は、図１に示すように、フレーム１０の、スクリーン支持装置１６の上方の位置に設けられている。スキージ装置１８は、本実施例では、それぞれスキージ３８を有する１対のスキージヘッド４０（図１には１つのみ図示されている），それらスキージヘッド４０をそれぞれ昇降させるスキージヘッド昇降装置４２およびスキージヘッド４０をスクリーン支持装置１６に支持されたスクリーン３０に平行で水平な方向に移動させるスキージヘッド移動装置４４を含む。本実施例では、スクリーン支持装置１６に支持されたスクリーン３０については、基板搬送方向に平行な方向を幅方向とする。スキージ３８は、本実施例では、その長手方向がスクリーン３０の幅方向に平行となる姿勢で配設され、スクリーン３０に平行な平面内においてスクリーン３０の幅方向に直角な方向に移動させられる。
【００１４】
スクリーン清掃装置２０を説明する。
スクリーン清掃装置２０は、拭取シート５０（図４参照）によってスクリーン３０を回路基板２４が接触させられる側から拭いて清掃する装置である。拭取シート５０は帯状を成し、図４に示すように、供給ロール５２に巻かれて供給され、巻取ロール５４により巻き取られる。
【００１５】
拭取シート５０は、幅が複数種類、本実施例では３種類に異なるものが用意されている。スクリーン３０の貫通穴が形成された部分を含み、クリーム半田の印刷に使用される領域である印刷使用領域の大きさは、回路基板２４のクリーム半田が印刷されるべき領域である被印刷領域の大きさによって変わり、それによりスクリーン３０の清掃を必要とする要清掃領域の大きさも変わる。３種類の拭取シート５０は、要清掃領域の幅（スクリーン３０と同様に、基板搬送方向に平行な方向の寸法）に応じた幅を有するものが選択的に使用され、拭取シート５０の無駄を抑えつつ、スクリーン３０の拭取りが行われる。
【００１６】
供給ロール５２は、図４および図５に示すように、横断面形状が円形の筒状を成し、その両端にそれぞれ被支持回転体としてのギヤ５８（図４および図５には一方のギヤ５８のみが図示されている）が着脱可能に取り付けられている。これらギヤ５８にはそれぞれ、図５に一方のギヤ５８を示すように、係止部材たるコレット部材６２が同心にかつ一体的に設けられている。コレット部材６２は、横断面形状が円形を成す中空の筒状を成し、ギヤ５８の中央部から突出した嵌合突部６３を有し、内部に雌ねじ穴６４および先端ほど直径が直線的に減少するテーパ内周面６６が形成されるとともに、それら雌ねじ穴６４およびテーパ内周面６６が形成された部分に、軸方向に延びるスリット６８が複数、本実施例では４本（図５には３本図示されている）、等角度間隔に形成されている。
【００１７】
コレット部材６２は、コレット駆動部材７２により径が拡大させられる。コレット駆動部材７２は、操作部としての頭部７４，頭部７４から突出させられた雄ねじ部７６および上記テーパ内周面６６に対応する傾斜のテーパ突部７８を備えている。コレット部材６２の嵌合突部６３が供給ロール５２の端部の内側に嵌合され、ギヤ５８が供給ロール５２の端面に当接させられた状態でコレット駆動部材７２がコレット部材６２を駆動する。コレット駆動部材７２は雄ねじ部７６が雌ねじ穴６４に螺合されるとともに、テーパ突部７８がテーパ内周面６６に嵌合され、スリット６８の幅を広げる。それによりコレット部材６２の径が広げられて供給ロール５２の内周面に押し付けられ、それらの間の摩擦により、ギヤ５８が供給ロール５２に軸方向に相対移動不能かつ相対回転不能に取り付けられる。コレット駆動部材７２の螺合を緩め、コレット部材６２の供給ロール５２の内周面に対する係合を解除すれば、ギヤ５８を供給ロール５２から取り外すことができる。コレット部材６２およびコレット駆動部材７２が、ギヤ５８を供給ロール５２に着脱可能に取り付ける歯車取付装置としてのコレットチャック８０を構成している。これら供給ロール５２，１対のギヤ５８およびコレットチャック８０を含んで拭取シート供給体８２が構成されている。
【００１８】
供給ロール５２は、本実施例では紙により作られ、拭取シート５０の幅と同じ長さを有し、本スクリーン清掃装置２０によるスクリーン清掃のために、長さが３段階に異ならされた３種類の供給ロール５２が用意され、それぞれ幅が異なる拭取シート５０が巻き付けられている。また、拭取シート５０の供給ロール５２に対する巻付けの最大直径は、図５に二点鎖線で示すように、ギヤ５８の歯底円の直径より小さくされている。１対のギヤ５８はそれぞれ、その歯底円の直径が供給ロール５２の外径より大きく、供給ロール５２に取り付けられた状態では、供給ロール５２の両端から半径方向外向きに突出させられている。それにより、１対のギヤ５８は、供給ロール５２に巻かれた拭取シート５０を挟み、供給ロール５２からの引き出しを許容しつつ、供給ロール５２の軸方向において位置決めし、拭取シート５０が供給ロール５２の軸方向においてずれることを防止する。１対のギヤ５８の互いに対向する面であって、供給ロール５２側の面は、拭取シート５０の幅と等しい距離を隔てて対峙し、拭取シート５０を位置決めする位置決め面を構成し、本実施例では、１対のギヤ５８がそれぞれシート位置規定用フランジを兼ねている。
【００１９】
前記巻取ロール５４は、供給ロール５２と同様に構成され、横断面形状が円形を成す中空の筒状を成し、紙製とされ、その両端にそれぞれ被支持回転体としてのギヤ９０がコレット部材９２およびコレット駆動部材９４（図４参照）を含むコレットチャック９６により、軸方向に相対移動不能かつ相対回転不能であって、着脱可能に取り付けられている。これら巻取ロール５４，１対のギヤ９０およびコレットチャック９６を含んで拭取シート巻取体９８が構成されている。また、巻取ロール５４は供給ロール５２と同様に、拭取シート５０の幅と同じ長さを有するものとされ、長さが３段階に異なる３種類の巻取ロール５４が用意されている。供給ロール５２および巻取ロール５４は紙製であるため、使用後は捨てることができる。この際、ギヤ５８，９８は、使用可能であれば、供給ロール５２および巻取ロール５４から取り外し、別の供給ロール５２，巻取ロール５４や新しい供給ロール５２，巻取ロールに取り付けらて使用することができる。供給ロールおよび巻取ロールは金属製とし、繰り返し使用されるようにしてもよい。
【００２０】
スクリーン清掃装置２０は、スクリーン平行方向移動装置１００（図１参照）により、スクリーン支持装置１６に支持されたスクリーン３０に平行で水平な方向に移動させられ、接触，離間装置であるスクリーン清掃装置昇降装置１０２（図３参照）により、スクリーン３０に直角な方向に移動させられ、昇降させられる。スクリーン平行方向移動装置１００は、図１に示すように、移動部材１０４および移動部材移動装置１０６（図１参照）を備えている。移動部材移動装置１０６は、図示は省略するが、駆動源としての電動回転モータであるサーボモータと、ボールねじおよびナットを含む送りねじ装置とを備えている。移動部材１０４は、図１に示すように、フレーム１０に、下降端位置に位置する基板支持装置１２に支持された回路基板２４と、スクリーン支持装置１６に支持されたスクリーン３０との間に形成される空間内を移動可能に設けられ、前記スキージ装置１８のスキージ３８の移動方向と同じ方向に移動させられる。
【００２１】
移動部材１０４上にスクリーン清掃装置２０が昇降可能に設けられ、スクリーン３０の下側の空間をスクリーン３０に沿って、スクリーン３０の幅方向と直角な方向に移動させられる。スクリーン清掃装置２０の装置本体１１０は、図３に示すように、長手方向の断面形状がコの字形を成し、１対の側壁部１１２およびそれら側壁部１１２を連結する連結部１１４を含み、移動部材１０４上に設けられたスクリーン清掃装置昇降装置１０２により昇降させられる。スクリーン清掃装置昇降装置１０２は、本実施例では、図３に示すように、１対のエアシリンダ１２２を備え、装置本体１１０を、それぞれガイド部材としての１対ずつのガイドロッド１２４およびガイドブロック１２６に案内させつつ昇降させる。
【００２２】
装置本体１１０は移動部材１０４上に、連結部１１４の長手方向が、スクリーン３０の幅方向に平行となる姿勢で設けられており、図３および図４に示すように、連結部１１４上に吸引部材１３０が連結部１１４の長手方向に平行に設けられている。吸引部材１３０には、その上面に開口し、長手方向に延びる開口１３２（図２参照）が形成されるとともに、内部に負圧が供給される。なお、図４において符号１３４は、シートガイドである。
【００２３】
装置本体１１０には、前記拭取シート供給体８２および拭取シート巻取体９８が取付け，取外しされ、供給ロール５２および巻取ロール５４が取付け，取外しされる。図２に示すように、１対の支持ロール１４０，１４２がそれぞれ、吸引部材１３０の長手方向に平行で水平な軸線まわりに回転可能に支持されている。これら支持ロール１４０，１４２は、吸引部材１３０の長手方向と直角で水平な方向の両側にそれぞれ配設され、支持ロール１４０は前記供給ロール５２を支持し、支持ロール１４２は前記巻取ロール５４を支持する。
【００２４】
支持ロール１４０は、図２および図５に示すように、その軸方向の一端部に複数個、本実施例では３個の支持回転体としてのピニオン１５０を備え、他端部に複数個、本実施例では３個の支持回転体としての支持ローラ１５２を備えている。支持ロール１４０は、図５に示すように、製造の都合上、複数の部材が一体的に組み付けられて成り、３個のピニオン１５０は支持ロール１４０の軸部を構成する軸部材に相対回転不能かつ軸方向に相対移動不能に組み付けられて支持ロール１４０を構成している。３個のピニオン１５０はそれぞれ、供給ロール５２のギヤ５８よりやや大きい幅を有し、それらの間にそれぞれスペーサ１５４が挟まれるとともに、両端のピニオン１５０の外側にそれぞれスペーサ１５６が配設されて軸部材に組み付けられている。これらスペーサ１５４，１５６の直径はピニオン１５０の直径より大きく、支持ロール１４０の軸方向の一端部の外周面に複数本、本実施例では３本の円環溝１５８が形成されている。ピニオン１５０は円環溝１５８内に設けられており、支持回転体の外周面である円環溝１５８の底面に歯が形成されてピニオン１５０が設けられていると考えることができる。また、スペーサ１５４，１５６は、円環溝形成部材であると考えることができる。さらに、ピニオン１５０および２個ずつのスペーサ１５４，１５６の各ピニオン１５０の両側の部分であって、円環溝１５８の溝壁を形成する部分が支持回転体を構成していると考えられる。このように考えれば、支持回転体は外周面に円環溝が形成されたものであることになる。
【００２５】
３個の支持ローラ１５２もピニオン１５０と同様に、支持ロール１４０を構成する軸部材に２個ずつのスペーサ１６２，１６４を挟み、挟まれて組み付けられ、軸部材に対して相対回転不能かつ軸方向に相対移動不能とされ、支持ロール１４０を構成している。支持ローラ１５２の幅はギヤ５８の歯幅よりやや大きくされ、スペーサ１６２，１６４の直径は支持ローラ１５２の直径より大きく、支持ロール１４０の軸方向の他端部の外周面に３本の円環溝１６６が形成されている。円環溝１６６の底面部分が支持ローラ１５２を構成していると考えることもできる。また、支持ローラ１５２および２個ずつのスペーサ１６２，１６４の円環溝１６６の溝壁を形成する部分が支持回転体を構成していると考えられ、支持ロール１４０の他端部の支持回転体は外周面に円環溝が形成されたものであることになる。３個ずつのピニオン１５０と支持ローラ１５２とは、支持ロール１４０の軸方向の１点である軸方向の中央に対して対称の位置に位置させられ、上記３本ずつの円環溝１５８と１６６とは、上記中央に対して対称な３対の位置であって、前記３種類の供給ロール５２の各々の１対のギヤ５８間のピッチと等しいピッチの位置にそれぞれ形成されている。
【００２６】
前記支持ロール１４２は、図２に示すように、支持ロール１４０と同様に構成されており、軸方向の両端部にそれぞれ、３個ずつのピニオン１７０および支持ローラ１７２を２個ずつのスペーサ１７４，１７６およびスペーサ１７８，１８０により挟み、挟まれて軸方向に相対移動不能かつ相対回転不能に備え、３本ずつの円環溝１８２，１８４が軸方向の１点である軸方向の中央に対して対称な３対の位置にそれぞれ形成されている。
【００２７】
支持ロール１４２は、回転駆動装置１９０により回転させられる。回転駆動装置１９０は電動回転モータ１９２（図３参照）を駆動源とし、前記装置本体１１０の連結部１１４の下面に設けられ、装置本体１１０と共に昇降させられる。電動回転モータ１９２の回転は、その出力軸に設けられたプーリ１９４，支持ロール１４２に設けられたプーリ１９６（図２参照）およびベルト１９８を含む回転伝達装置２００により支持ロール１４２に伝達され、支持ロール１４２が回転させられてピニオン１７０，支持ローラ１７２が回転させられる。
【００２８】
装置本体１１０にはまた、前記供給ロール５２の１対のギヤ５８をそれぞれ、３個ずつのピニオン１５０および支持ローラ１５２のうちの１個ずつによって支持された状態に位置決めする供給ロール用位置決め装置２０８と、前記巻取ロール５４の１対のギヤ９０をそれぞれ、３個ずつのピニオン１７０および支持ローラ１７２のうちの１個ずつによって支持された状態に位置決めする巻取ロール用位置決め装置２１０とが保持されている。これら位置決め装置２０８，２１０は同様に構成されており、供給ロール用位置決め装置２０８を代表的に説明する。
【００２９】
供給ロール用位置決め装置２０８は、図２に示すように、本実施例では、２対の位置決めローラ２１２を含み、３個のピニオン１５０と３個の支持ローラ１５２とについてそれぞれ、１対ずつ配置されている。２対の位置決めローラ２１２は同様に構成されており、３個のピニオン１５０について設けられた１対の位置決めローラ２１２を代表的に説明する。
【００３０】
対を成す２個の位置決めローラ２１２はそれぞれ、図２に示すように、支持ロール１４０の３個のピニオン１５０を含む部分と同じ長さを有し、それら２個の位置決めローラ２１２の一方は、図４に示すように、装置本体１１０の側壁部１１２のピニオン１５０より連結部１１４側の部分であって、ピニオン１５０が供給ロール５２のギヤ５８と噛み合わされた状態において、ギヤ５８の回転軸線を含む一平面であり、水平面に対してピニオン１５０とは反対側に位置する部分に突設された軸２１４により、支持ロール１４０の回転軸線に平行な軸線まわりに回転可能かつ軸方向に移動不能であって、装置本体１１０に対して移動不能に取り付けられている。この一方の位置決めローラ２１２は、装置本体１１０に固定的に取り付けられた固定位置決めローラであり、以後、固定位置決めローラ２１２ａと称する。また、軸２１４が固定取付装置を構成している。
【００３１】
対を成す２個の位置決めローラ２１２の他方は可動位置決めローラ２１２ｂとされ、可動取付装置２２０により装置本体１１０の側壁部１１２に移動可能に取り付けられている。可動取付装置２２０は、図２および図４に示すように、側壁部１１２に軸２２２により、支持ロール１４０の回転軸線に平行な軸線まわりに回動可能に取り付けられた可動部材の一種である回動部材としてのレバー２２４を備えている。レバー２２４はＬ字形を成し、その一方のアーム部２２６は、軸２２２から上方であって、ピニオン１５０に噛み合わされた供給ロール５２のギヤ５８の回転軸線を含む一平面であり、水平面に対してピニオン１５０とは反対側へ延び出させられ、その延出端部に可動位置決めローラ２１２ｂが軸２２８により、支持ロール１４０の回転軸線に平行な軸線まわりに回転可能に取り付けられており、レバー２２４の回動により、ピニオン１５０によって支持されるギヤ５８のほぼ半径方向に移動させられる。軸２２２は、側壁部１１２のピニオン１５０に対して前記軸２１４とは反対側の部分に設けられており、可動位置決めローラ２１２ｂは、ピニオン１５０に対して固定位置決めローラ２１２ａとは反対側に位置させられる。レバー２２４の他方のアーム部２３０と側壁部１１２との間には、付勢手段の一種である弾性部材としての引張コイルスプリング２３２が配設され、レバー２２４は、可動位置決めローラ２１２ｂが、ピニオン１５０と噛み合わされたギヤ５８に向かう向きに付勢されている。このスプリング２３２の付勢によるレバー２２４の回動限度ないし可動位置決めローラ２１２ｂの移動限度は、回動限度規定部材ないし移動限度規定部材たるピン状のストッパ２３４（図２，図４参照）により規定され、供給ロール５２がスクリーン清掃装置２０に取り付けられない状態では、可動位置決めローラ２１２ｂは、ピニオン１５０と噛み合わされたギヤ５８の外周面に接触する位置より、やや内側（固定位置決めローラ２１２ａ側）に位置させられる。なお、図２に示すように軸２２８は長く、支持ロール１４０の３個の支持ローラ１５２について設けられた１対の位置決めローラ２１２の可動位置決めローラ２１２ｂと共用とされており、２つの可動位置決めローラ２１２ｂが同時に移動させられる。
【００３２】
軸方向に長く、３個のピニオン１５０に対応可能な位置決めローラ２１２および３個の支持ローラ１５２に対応可能な位置決めローラ２１２は、３個のピニオン１５０に共通の位置決めローラおよび３個の支持ローラ１５２に共通の位置決めローラであると考えることもでき、３個のピニオン１５０の各々について設けられた３個の位置決めローラが一体的に設けられ、３個の支持ローラ１５２の各々について設けられた３個の位置決めローラが一体的に設けられたものであると考えることもできる。前者の場合、３対のピニオン１５０および支持ローラ１５２について位置決め装置が１つ設けられ、その位置決め装置の、１対のギヤ５８を、１対のピニオン１５０および支持ローラ１５２によって支持された状態に位置決めする部分が発明の態様の項の(2)項に記載の位置決め装置を構成していると考えることができ、後者の場合、３対のピニオン１５０および支持ローラ１５２の各対について位置決め装置が設けられ、それら３つの位置決め装置が、レバー，スプリング等の構成要素を互いに共用していると考えることができる。本スクリーン清掃装置２０においては、３対のピニオン１５０および支持ローラ１５２と供給用ロール用位置決め装置２０８とを含む拭取シート供給装置２３６により拭取シート５０が供給される。また、３対のピニオン１７０および支持ローラ１７２と、巻取ロール用位置決め装置２１０と、回転駆動装置１９０とを含む拭取シート巻取装置２３８により拭取シート５０が巻き取られる。
【００３３】
装置本体１１０にはまた、図２に示すように、制動装置２４０が設けられている。制動装置２４０は、供給ロール５２を支持する支持ロール１４０について設けられ、側壁部１１２の外面に、支持ロール１４０の端部と対向する状態で設けられている。制動装置２４０は、側壁部１１２に固定の保持部材たるケーシング２４２と、ケーシング２４２に、支持ロール１４０と同心に軸方向に移動可能かつ相対回転不能に嵌合された摩擦部材２４４と、摩擦部材２４４を支持ロール１４０に向かって付勢する付勢手段の一種である弾性部材としての圧縮コイルスプリング２４６とを含む。摩擦部材２４４は、横断面形状が円形を成し、摩擦係数の高い材料、例えば、ゴムあるいはその類似物あるいは合成樹脂により作られている。これらゴム等は、摩擦係数調整材が入れられることが望ましい。摩擦部材２４４は、スプリング２４６の付勢により支持ロール１４０の端面に押し付けられている。
【００３４】
本スクリーン印刷機は、コンピュータを主体とする制御装置２６０（図１参照）により制御される。制御装置２６０は、スクリーン印刷機を構成する各種装置を制御するとともに、報知装置２６２を制御する。また、巻取ロール５４による拭取シート５０の巻取長さを検出するシート巻取長さ検出装置２６４が接続されている。シート巻取長さ検出装置２６４は、例えば、特開平１０−０２９７４７号公報に記載の検出装置と同様の原理で構成され、供給ロール５２に巻かれた拭取シート５０の外周面に相対回転可能に接触させられた検出部材としての検出ローラを備えている。検出ローラは、拭取シート５０の巻取り（供給ロール５２からの拭取シート５０の引出し）によるシート巻径の減少に追従しつつ、供給ロール５２の回転につれ回り、検出ローラの回転量の検出に基づいて拭取シート５０の巻取長さないし供給長さが検出される。
【００３５】
前記供給ロール５２ないし拭取シート供給体８２，巻取ロール５４ないし拭取シート巻取体９８のスクリーン清掃装置２０に対する取付け，取外しを説明する。
供給ロール５２の取付け時には、作業者は拭取シート供給体８２を持ち、図２に二点鎖線で示すように、供給ロール５２の両端に取り付けられた１対のギヤ５８と、支持ロール１４０の３対の円環溝１５８，１６６のうちの１対であって、ピッチが、１対のギヤ５８のピッチと等しい１対の円環溝１５８，１６６との位置を合わせた状態で拭取シート供給体８２を支持ロール１４０上へ下ろす。３対の円環溝１５８，１６６の中から、１対のギヤ５８間の距離に対応する距離を隔てて対を成す１対を選んで位置を合わせ、嵌合させるのである。この際、１対のギヤ５８はそれぞれ、ピニオン１５０と支持ローラ１５２とについてそれぞれ設けられた固定位置決めローラ２１２ａ，可動位置決めローラ２１２ｂに接触し、横断面形状が円形を成すギヤ５８は楔の機能を果たし、図４に二点鎖線で示すように、レバー２２４をスプリング２３２の付勢力に抗して回動させ、可動位置決めローラ２１２ｂを後退させてギヤ５８から離間させ、固定位置決めローラ２１２ａとの間に進入可能な隙間を生じさせつつ、ピニオン１５０，支持ローラ１５２に接近させられ、円環溝１５８，１６６に嵌合される。供給ロール５２が取り外された状態では、可動位置決めローラ２１２ｂは、ギヤ５８に接触する位置よりやや固定位置決めローラ２１２ａ側に位置し、それらローラ２１２ａ，２１２ｂ間には、ギヤ５８が自身の楔機能によって可動位置決めローラ２１２ｂをスプリング２３２の付勢力に抗して後退させることができる隙間が確保されており、ギヤ５８をピニオン１５０，支持ローラ１５２に接近させつつ、可動位置決めローラ２１２ｂを後退させてピニオン１５０，支持ローラ１５２に支持させることができる。そして、一方のギヤ５８をピニオン１５０と噛み合わせ、他方のギヤ５８を支持ローラ１５２上に載置する。それにより、ピニオン１５０，支持ローラ１５２がそれぞれ、自身の外周面（ピニオン１５０においては歯の歯面も外周面の一部を成す）において１対のギヤ５８に接触し、支持するとともに、１対のギヤ５８はそれぞれ、円環溝１５８，１６６の１対ずつの溝側面に挟まれて支持ロール１４０の軸方向において位置決めされ、軸方向の移動が防止される。
【００３６】
このように１対のギヤ５８がピニオン１５０および支持ローラ１５２によって支持された状態では、図４に一方のギヤ５８について実線で示すように、可動位置決めローラ２１２ｂがスプリング２３２の付勢力によりギヤ５８の外周面に相対回転可能に接触した状態に保たれ、ギヤ５８は、スプリング２３２の付勢力によりピニオン１５０，固定位置決めローラ２１２ａおよび可動位置決めローラ２１２ｂが、ギヤ５８の周方向に隔たった３点において接触し、それらに挟まれて回転軸線と直交する方向において位置決めされ、ピニオン１５０および支持ローラ１５２に支持された状態に保たれる。前述のように、固定位置決めローラ２１２ａおよび可動位置決めローラ２１２ｂは、その回転軸線を含む水平面に対してピニオン１５０とは反対側に位置するように設けられ、ピニオン１５０と噛み合わされたギヤ５８の外周面に、上記水平面に対してピニオン１５０とは反対側において接触するように設けられるとともに、ピニオン１５０に対して互いに反対側に位置させられ、その反対側の位置においてギヤ５８の外周面に接触するため、ピニオン１５０，固定位置決めローラ２１２ａおよび可動位置決めローラ２１２ｂのうち、ギヤ５８の周方向において互いに隣接する２個ずつの間の角度間隔のいずれの２つの和も全て１８０度より大きくなる。したがって、ギヤ５８は、スプリング２３２の付勢力を超える力が作用しない限り、ピニオン１５０からの浮上がりが防止される。それにより、ギヤ５８とピニオン１５０とが噛み合った状態に保たれ、ピニオン１５０の回転が確実にギヤ５８に伝達される。他方のギヤ５８についても同様であり、支持ローラ１５２により支持され、位置決めローラ２１２ａ，２１２ｂにより位置決めされるとともに、浮上がりが防止される。本実施例では、供給ロール用位置決め装置２０８は浮上がり防止装置としても機能するのである。このように支持され、位置決めされた状態では、１対のギヤ５８の各回転軸線と、ピニオン１５０および支持ローラ１５２の各回転軸線とを通る直線が上下方向に平行となり、１対のギヤ５８はそれぞれピニオン１５０および支持ローラ１５２によって下方から支持される。
【００３７】
巻取ロール５４は供給ロール５２と同様にして装置本体１１０に取り付けられ、図２に二点鎖線で示すように、１対のギヤ９０の一方が３本の円環溝１８２のうちの１本に嵌合され、ピニオン１７０に噛み合わされるとともに支持され、他方が３本の円環溝１８４のうちの１本に嵌合され、支持ローラ１７２上に載せられて支持される。また、１対のギヤ９０が円環溝１８２，１８４の１対ずつの溝側面に挟まれて軸方向において位置決めされるとともに、巻取ロール用位置決め装置２１０によって位置決めされ、浮上がりが防止される。拭取シート５０は、図４に示すように、供給ロール５２から引き出され、前記１対のシートガイド１３４および吸引部材１３０上に被せられた後、巻取ロール５４に端が固定され、巻き取られるようにされる。拭取シート５０は、その幅方向がスクリーン３０の幅方向に平行となる。
【００３８】
スクリーン３０の清掃時には、スクリーン清掃装置２０が退避領域から清掃開始位置へ移動させられる。退避領域は、スクリーン清掃装置２０のスクリーン平行方向移動装置１００による移動方向においてスクリーン３０および基板支持装置１２から外れた位置である。移動後、スクリーン清掃装置２０はスクリーン清掃装置昇降装置１０２により上昇させられ、拭取シート５０の吸引部材１３０に被せられた部分がスクリーン３０の基板接触面に接触させられる。その状態でスクリーン清掃装置２０がスクリーン平行移動装置１００によってスクリーン３０に沿って移動させられ、拭取シート５０がスクリーン３０に付着した汚れを拭き取る。また、吸引部材１３０に負圧が供給され、スクリーン３０の貫通穴の内周面等に付着したクリーム半田等の汚れを吸ってスクリーン３０から離間させ、拭取シート５０に拭き取らせる。吸引部材１３０は、拭取り時に拭取シート５０を支持する支持部材としても機能する。スクリーン清掃装置２０は、清掃終了位置へ到達し、拭取りが終了すれば、下降させられ、拭取シート５０がスクリーン３０から離間させられるとともに、スクリーン清掃装置２０が清掃開始位置へ戻される。
【００３９】
スクリーン清掃装置２０の清掃開始位置への戻りの間に、巻取ロール５４が回転させられて拭取シート５０が巻き取られ、拭取シート５０の拭取りに使用されて汚れた部分が吸引部材１３０上から退避させられ、拭取シート５０の汚れていない新しい部分が吸引部材１３０上に位置させられるとともに、供給ロール５２から引き出される。巻取り時には支持ロール１４２が回転駆動装置１９０により回転させられ、ピニオン１７０が回転させられることにより、ピニオン１７０と噛み合わされたギヤ９０に回転トルクが伝達され、巻取ロール５４が回転させられる。本実施例では、支持ロール１４２のピニオン１７０が駆動回転体を構成し、ピニオン１７０と噛み合わされるギヤ９０が被駆動回転体を構成している。支持ローラ１７２も支持ロール１４２の回転により回転させられ、ギヤ９０を支持し、巻取ロール５４を支持しつつ、その回転を許容する。拭取シート５０の巻取り長さの検出に基づいて電動回転モータ１９２が制御され、拭取シート５０が所定長さ巻き取られる。
【００４０】
また、供給ロール５２には制動トルクが作用する。巻取ロール５４が回転させられ、拭取シート５０が長手方向に移動させられるとき、供給ロール５２は回転して拭取シート５０の引出しないし巻取りを許容するのであるが、支持ロール１４０には、摩擦部材２４４が押し付けられているため、それらの間の摩擦により支持ロール１４０に、供給ロール５２の拭取シート５０が引き出される向きとは逆向きの制動トルクが作用するとともに、ピニオン１５０とギヤ５８との噛み合いによりギヤ５８に伝達され、供給ロール５２に拭取シート５０が引き出される方向とは逆向きの力が作用する。そのため、拭取シート５０に、巻取ロール５４の回転によって作用する張力とは逆向きの張力が付与され、拭取シート５０がたるみなく引き出され、所定長さ、巻取ロール５４により巻き取られる。また、巻取ロール５４が停止させられた際、供給ロール５２が慣性によって回転し続け、拭取シート５０にたるみが生じることが防止され、張った状態に保たれ、スクリーン３０の拭取りが良好に為される。本実施例においては、支持ロール１４０のピニオン１５０が制動トルク伝達体を構成し、ピニオン１５０と噛み合わされるギヤ５８が制動トルク被伝達体を構成している。また、支持ローラ１５２も供給ロール５２を支持しつつ回転する。
【００４１】
スクリーン清掃装置２０は、清掃開始位置へ戻された後、再度、スクリーン３０の拭取りを行う。そのため、スクリーン清掃装置２０が上昇させられて拭取シート５０の未使用のきれいな面がスクリーン３０に接触させられ、その状態でスクリーン清掃装置２０がスクリーン３０に沿って移動させられて、拭取シート５０がスクリーン３０を拭いて仕上げする。スクリーン清掃装置２０は、清掃終了位置へ到達したならば、下降させられて拭取シート５０がスクリーン３０から離間させられるとともに、退避領域へ退避させられ、次の清掃に備えて待機させられる。
【００４２】
供給ロール５２において供給する拭取シート５０がなくなれば、巻取ロール５４を回転駆動しても供給ロール５２が回転しなくなる。そのため、シート巻取長さ検出装置２６４の検出ローラが回転しない状態が設定時間続いたことにより、拭取シート５０がなくなったことが検出されるとともに、報知装置２６２により作業者に報知される。それにより、作業者は、供給ロール５２および巻取ロール５４をスクリーン清掃装置２０から取り外し、未使用の拭取シート５０が巻かれた供給ロール５２と空の巻取ロール５４とを取り付ける。
【００４３】
この際、作業者は、供給ロール５２に位置決めローラ２１２ａ，２１２ｂが接触し、供給ロール用位置決め装置２０８によって位置決めされたままの状態で拭取シート供給体８２を、スプリング２３２の付勢力を超える力を加えつつ上方へ真っ直ぐに持ち上げ、１対のギヤ５８をピニオン１５０，支持ローラ１５２から離間させ、スクリーン清掃装置２０から取り外す。１対のギヤ５８は、楔作用によって可動位置決めローラ２１２ｂをスプリング２３２の付勢力に抗して後退させつつ、固定位置決めローラ２１２ａと可動位置決めローラ２１２ｂとの間から抜け出させられ、供給ロール５２ないし拭取シート供給体８２がスクリーン清掃装置２０から容易に取り外される。巻取ロール５４も同様に取り外し、新しい拭取シート５０が巻かれた供給ロール５２と、空の巻取ロール５４とをスクリーン清掃装置２０に取り付ける。
【００４４】
供給ロール５２および巻取ロール５４は、クリーム半田が印刷される回路基板２４の種類が変わり、スクリーン３０の印刷使用領域の幅が変わって要清掃領域の幅が変わった場合にも交換される。本スクリーン清掃装置２０は、支持ロール１４０，１４２が３本ずつの円環溝１５８，１６６，１８２，１８４，３個ずつのピニオン１５０，１７０，支持ローラ１５２，１７２を備え、幅が異なる３種類の拭取シート５０を選択的にセットすることができるようにされており、作業者は、現にスクリーン清掃装置２０に取り付けられている供給ロール５２および巻取ロール５４を取り外し、要清掃領域の幅に応じた幅を有する拭取シート５０が巻き付けられた供給ロール５２およびその拭取シート５０を巻き取る巻取ロール５４をスクリーン清掃装置２０に取り付ける。取付け時には、供給ロール５２の両端のギヤ５８をそれぞれ、支持ロール１４０の３対の円環溝１５８，１６６のうち、拭取シート５０の幅に応じた１対であって、ピッチが１対のギヤ５８間のピッチと等しい１対の円環溝１５８，１６６を選んで嵌合する。巻取ロール５４についても同様であり、拭取シート５０を幅が異なるものに交換する場合にも、ギヤ５８，９０を拭取シート５０の幅に応じた円環溝１５８，１６６，１８２，１８４に嵌合し、支持ローラ１５２，１７２上に載置し、ピニオン１５０，１７０に噛み合わせるのみで容易にかつ迅速に交換作業を行うことができる。位置決め装置２０８，２１０の位置決めローラ２１２ａ，２１２ｂは長く、１対ずつのギヤ５８，９０間のピッチが３段階のうちのいずれであっても、ピニオン１５０，１７０，支持ローラ１５２，１７２により支持されたギヤ５８，９０に接触して位置決めすることができる。
【００４５】
このように本スクリーン清掃装置２０においては、供給ロール５２および巻取ロール５４を、その回転軸線と直交する方向であって、鉛直方向に移動させるのみでスクリーン清掃装置２０に簡単に取付け，取外しすることができる。位置決め装置２０８，２１０の可動位置決めローラ２１２ｂはスプリング２３２により付勢されているが、ギヤ５８自身が楔の機能を果たして可動位置決めローラ２１２ｂをスプリング２３２の付勢力に抗して後退させるため、作業者が可動位置決めローラ２１２ｂを後退させて供給ロール５２，巻取ロール５４の着脱を許容させなくてもよく、拭取シート供給体８２および拭取シート巻取体９８を支持ロール１４０，１４２に接近，離間させることにより、位置決め装置２０８，２１０に供給ロール５２，巻取ロール５４を位置決めさせ、位置決めを解除させつつ、容易にスクリーン清掃装置２０に取付け，取外しすることができるのである。また、ギヤ５８，９０とピニオン１５０，１７０とを噛み合わせるが、ギヤ５８，９０をピニオン１５０，１７０に載せつつ、噛み合わせればよく、簡単である。特に、ギヤ５８，９０は供給ロール５２，巻取ロール５４の両端に設けられていて、ロール５２，５４については両端の被支持回転体を共通のものとすることができるのに対し、ピニオン１５０，１７０は支持ロール１４０，１４２の各一端のみに設けられているため、１つの支持ロールの両端にそれぞれピニオンが設けられ、２個のピニオンにそれぞれ歯車を噛み合わせる場合に比較して噛み合わせ作業が容易であり、供給ロール５２，巻取ロール５４を迅速に取り付けることができる。また、巻取ロール５４の両端部にそれぞれ、ギヤ９０が設けられているため、巻取ロール５４をスクリーン清掃装置２０に取り付ける際に、巻取ロール５４の両端部のいずれをピニオン１７０，支持ローラ１７２に支持させてもよく、取付けが容易である。供給ロール５２の両端にもそれぞれギヤ５８が設けられているため、供給ロール５２に拭取シートを巻く際に巻付方向を問わず、巻付けが容易である。
【００４６】
請求可能発明の別の実施例を図６に基づいて説明する。
本実施例のスクリーン清掃装置２６８においては、位置決め装置２７０が、装置本体２７２に形成された案内溝２７４を含むものとされている。案内溝２７４は、装置本体２７２を構成する１対の側壁部２７６（図６には一方の側壁部２７６のみが図示されている）にそれぞれ、側壁部２７６を支持ロール２７７の回転軸線に平行な方向に貫通し、鉛直にかつ上方に開口する状態で形成されている。案内溝２７４の開口部は、１対の溝側面２７８間の距離が上方ほど大きくされ、傾斜させられて案内部２８０が形成されている。側壁部２７６にはまた、浮上がり防止装置２８２が設けられている。浮上がり防止装置２８２は、本実施例ではボールプランジャにより構成されており、ケーシング２８４と、ケーシング２８４内に移動可能に収容されたボール２８６と、ボール２８６をケーシング２８４から突出する向きに付勢するスプリング（図示省略）とを含み、側壁部２７６内に組み付けられている。ボール２８６は、ケーシング２８４からの抜け出しは阻止されているが、その一部が、一方の溝側面２７８から案内溝２７４内に突出させられている。
【００４７】
本スクリーン清掃装置２６８にセットされる供給ロールおよび巻取ロールは、図６に巻取ロール２９０を代表的に示すように、両端部に軸部２９２を備えている（図６には一端部の軸部２９２のみが図示されている）。軸部２９２は、例えば、コレットチャック２９４のチャック駆動部材２９６に設けられている。その他の構成は前記実施例のスクリーン清掃装置２０と同じであり、説明を省略する。
【００４８】
巻取ロール２９０をスクリーン清掃装置２６８に取り付ける場合には、両端部の軸部２９２をそれぞれ、案内溝２７４に嵌合する。軸部２９２は、案内部２８０に案内されて案内溝２７４内に進入させられ、ボール２８６をスプリングの付勢力に抗してケーシング２８４内に引っ込ませつつ嵌合される。巻取ロール２９０は、軸部２９２が案内溝２７４に案内されることにより真っ直ぐ下ろされ、一方のギヤ３００が支持ロール２７７のピニオン３０４に噛み合わされ、他方の歯車（図示省略）が支持ロール２７７の支持ローラ（図示省略）上に載置される。この状態では、ボール２８６がスプリングの付勢により軸部２９２に係合させられるとともに、斜面の作用によりギヤ３００をピニオン３０４，支持ローラに押し付けて浮上がりを防止し、ギヤ３００がピニオン３０４に噛み合い、支持ローラに支持された状態に保たれる。１対のギヤ３００は、軸部２９２と案内溝２７４の１対の溝側面２７８との係合によりピニオン３０４，支持ローラに支持された状態に位置決めされる。巻取ロール２９０を装置本体２７２から取り外す場合には、巻取ロール２９０を、浮上がり防止装置２８２のスプリングの付勢力を超える力を加えつつ上方へ移動させ、軸部２９２を、ボール２８６をスプリングの付勢力に抗してケーシング内に引っ込ませつつ、案内溝２７４から抜け出させる。
【００４９】
請求可能発明の更に別の実施例を図７に基づいて説明する。
本実施例のスクリーン清掃装置３１８においては、駆動回転体が支持部および歯車部を含むものとされている。そのため、支持ロール３２０の一端部の複数の駆動回転体３２２はそれぞれ、図７に一部を示すように、互いに隣接して設けられた支持部としての支持ローラ３２４と歯車部としてのピニオン３２６とを含む。支持ローラ３２４の直径はピニオン３２６の直径より小さく、隣接する２つの駆動回転体３２２を隔てるスペーサ３２８とピニオン３２６との間に円環溝３３０が形成されており、円環溝３３０の底面が支持ローラ３２４を構成していると考えることもできる。支持ロール３２０の他端部には、図示は省略するが、駆動回転体３２２と同数の支持ローラが設けられている。支持ロール３２０の他端部には、複数の円環溝３３０と同数の円環溝が、支持ロール３２０の軸方向の中央に対して対称の位置にそれぞれ形成され、各円環溝内にそれぞれ支持ローラが設けられている。円環溝の底面が支持ローラを構成しているとも考えられる。
【００５０】
支持ロール３２０により支持される巻取ロール３３４の一端部には、被支持部としての被支持ローラ３３６および歯車部としてのギヤ３３８が設けられ、被支持回転体ないし被駆動回転体を構成している。被支持ローラ３３６はギヤ３３８より大径とされている。巻取ロール３３４の他端部には、図示は省略するが、被支持ローラのみが設けられ、被支持回転体を構成している。巻取ロール３３４の他端部にも被支持ローラおよび歯車を設けてもよい。
【００５１】
巻取ロール３３４を支持ロール３２０に支持させる場合には、一端部においては被支持ローラ３３６を円環溝３３０に嵌合させ、支持ローラ３２４上に載せるとともに、ギヤ３３８をピニオン３２６と噛み合わせる。また、他端部においては、被支持ローラを円環溝に嵌合させ、支持ローラ上に載せる。巻取ロール３３４は、その両端部において支持ローラ（３２４）と被支持ローラ（３３６）との接触により支持され、ギヤ３３８とピニオン３２６とは、その噛み合いにより回転トルクを伝達するのみとされる。本実施例においても、支持ローラ３２４，ピニオン３２６およびスペーサのそれぞれ円環溝３３０の溝壁を形成する部分が支持回転体を構成すると考えられる。
【００５２】
請求可能発明の更に別の実施例を図８に基づいて説明する。
本実施例のスクリーン清掃装置３４８においては、２個の支持回転体が共同して１個の被支持回転体を支持する。そのため、スクリーン清掃装置３４８の装置本体には、例えば、巻取ロール３５０の一端のギヤ３５２について、ピニオン３５４および支持ローラ３５６が設けられ、それらが共同してギヤ３５２を支持するようにされている。ピニオン３５４および支持ローラ３５６は、それらがギヤ３５２を支持した状態においてギヤ３５２の回転軸線を含み、鉛直な平面に対して反対側の位置であって、ギヤ３５２の回転軸線を中心とする一円周上において、例えば、１２０度の角度を隔てた位置にそれぞれ回転可能に設けられている。巻取ロール３５０の他端の歯車については、装置本体に支持回転体としての２個の支持ローラが設けられている。これら支持ローラはそれぞれ、ピニオン３５４，支持ローラ３５６と同心に設けられている。なお、ピニオン３５４と支持ローラ３５６とは、各回転軸線が、ギヤ３５２の回転軸線を中心とする異なる円周上に位置するように設けてもよい。
【００５３】
巻取ロール３５０は、一端のギヤ３５２がピニオン３５４に噛み合わされて支持されるとともに、支持ローラ３５６上に載せられて支持され、他端の歯車が２個の支持ローラ上に載せられて支持される。これらピニオン３５４および支持ローラ３５６と２個の支持ローラとはそれぞれ、ギヤ３５２を挟んで位置決めし、水平方向に移動することを防止し、巻取ロール３５２を位置決めする位置決め装置としても機能する。
【００５４】
なお、供給ロール，巻取ロールの各一対の被支持回転体の一方は歯車ではなく、被支持ローラにしてもよい。
【００５５】
また、スクリーン清掃装置の支持回転体が２個である場合、それら２個の支持回転体を、いずれも歯車としてもよい。
【００５６】
さらに、スクリーン清掃装置がスクリーンを清掃する際、清掃開始位置から清掃終了位置へ移動する往路時と、清掃終了位置から清掃開始位置へ戻る復路時との両方において拭取シートによりスクリーンの汚れを拭き取るようにしてもよい。この際、例えば、スクリーン清掃装置が清掃終了位置へ到達した後、拭取シートがスクリーンに接触させられたままの状態で巻取ロールに所定長さ巻き取られ、未使用のきれいな面がスクリーンに接触させられた状態で復路時での拭取りが行われるようにされる。この場合、スクリーン清掃装置が、スクリーンに対して拭取シートが供給ロールから引き出される方向とは逆向きに移動させられる際に、支持回転体から被支持回転体に伝達される制動トルクを増し、スクリーンと拭取シートとの間に作用する力により供給ロールが回転させられて拭取シートが供給ロールから引き出されることがないようにすることが望ましい。
【００５７】
また、請求可能発明に係るスクリーン清掃装置は、スクリーン印刷機の外に設けられ、スクリーン支持装置から取り外されたスクリーンの清掃に使用されてもよい。スクリーン清掃装置がスクリーン印刷機に設けられる場合にも、スクリーン印刷機外に設けられる場合にも、スクリーンを、基板接触面とは反対側の面であり、スキージが接触させられる面側であって上面側から清掃する装置としてもよい。この場合、被支持回転体の支持回転体からの離間を防止する離間防止装置は、落下防止装置として機能する。
【図面の簡単な説明】
【００５８】
【図１】請求可能発明の一実施例であるスクリーン清掃装置を備えたスクリーン印刷機を概略的に示す正面図である。
【図２】上記スクリーン清掃装置を示す平面図（一部断面）である。
【図３】上記スクリーン清掃装置を昇降させるスクリーン清掃装置昇降装置を示す正面図である。
【図４】上記スクリーン清掃装置を示す側面図である。
【図５】上記スクリーン清掃装置の巻取ロールを支持する支持ロールのピニオンが設けられた側の部分を巻取ロールと共に示す正面断面図である。
【図６】請求可能発明の別の実施例であるスクリーン清掃装置の位置決め装置を概略的に示す側面図である。
【図７】請求可能発明の更に別の実施例であるスクリーン清掃装置の駆動回転体を概略的に示す正面図である。
【図８】請求可能発明の更に別の実施例であるスクリーン清掃装置の位置決め装置を概略的に示す側面図である。
【符号の説明】
【００５９】
２０：スクリーン清掃装置    ３０：スクリーン    ５０：拭取シート    ５２：供給ロール    ５４：巻取ロール    ５８，９０：ギヤ    １１０：装置本体    １４０，１４２：支持ロール    １５０：ピニオン    １５２：支持ローラ    １５８，１６６：円環溝    １７０：ピニオン    １７２：支持ローラ    １８２，１８４：円環溝    １９０：回転駆動装置    ２０８：供給ロール用位置決め装置    ２１０：巻取ロール用位置決め装置    ２１２：位置決めローラ    ２１４：軸    ２２０：可動取付装置    ２３２：引張コイルスプリング    ２４０：制動装置    ２６８：スクリーン清掃装置    ２７０：位置決め装置    ２７２：装置本体    ２７４：案内溝    ２７７：支持ロール    ２８２：浮上がり防止装置    ３００：ギヤ    ３０４：ピニオン    ３１８：スクリーン清掃装置    ３２０：支持装置    ３２２：駆動回転体    ３２４：支持ローラ    ３２６：ピニオン    ３３０：円環溝    ３３４：巻取ロール    ３３６：被支持ローラ    ３３８：ギヤ    ３４８：スクリーン清掃装置    ３５０：巻取ロール    ３５２：ギヤ    ３５４：ピニオン    ３５６：支持ローラ
【図１】
2006321106.tif 000003
【図２】
2006321106.tif 000004
【図３】
2006321106.tif 000005
【図４】
2006321106.tif 000006
【図５】
2006321106.tif 000007
【図６】
2006321106.tif 000008
【図７】
2006321106.tif 000009
【図８】
2006321106.tif 000010